(57)【特許請求の範囲】
【請求項１】
前パネルと、
この前パネルの前面側に露出した所定の電気部品と、
この電気部品に対する電源のオン・オフを行うための、前記前パネル側に設けられた機械式スイッチと、
グリル本体と、このグリル本体の裏面側に設けられた左右一対のアーム部とを有し、前記前パネルの前面に対して、前記アーム部の先端部に形成された支軸回りの揺動で開閉自在となるように取り付けられた吸込グリルと、
この吸込グリルの閉／開に伴って前記スイッチをオン／オフさせるための、前記吸込グリルのアーム部に設けられた作動突起と
を備えると共に、
前記スイッチは、前記作動突起によって押圧されるレバーを有し、このレバーの揺動に応じてオン・オフするように構成されると共に、当該レバーの揺動方向が前記吸込グリルの揺動方向に平行となるように配置されていることを特徴とする空気調和機の室内機。
【発明の詳細な説明】
【０００１】
【発明の属する技術分野】
本発明は、吸込グリルの閉／開に伴って所定の電気部品に対する電源のオン／オフを行うためのレバー式スイッチを備えた空気調和機の室内機に関する。
【０００２】
【従来の技術】
図６には、本発明が適用される一般的な空気調和機の室内機が示されている。図６において、空気調和機の室内機は、前パネル１と吸込グリル２とを備えている。この吸込グリル２は、前パネル１の前面１０に対して、その上端側の支軸回りの揺動で開閉自在となるように取り付けられている。
【０００３】
また、この室内機には、前パネル１の前面１０側に露出した電気集塵式空気清浄器（所定の電気部品）６が設けられている。すなわち、この空気清浄器６は、室内熱交換器（図示せず）の前面側を覆うエアフィルタ９より更に前方に配置され、吸込グリル２を開いた状態で人の手が触れられるようになっている。
【０００４】
このような空気調和機の室内機においては、上記空気清浄器６やエアフィルタ９の着脱を行う際、電気集塵式空気清浄器６に人の手が触れた場合の感電を防止する必要がある。そこで、図７に示すような、吸込グリル２の閉／開に伴って上記空気清浄器６に対する電源のオン／オフを行うための機械式スイッチ７’を用いるものが提案されている（特願平１０―２６７０４５）。
【０００５】
この空気調和機の室内機は、上記前パネル１側に機械式スイッチ７’が設けられ、上記吸込グリル２側に作動突起８"が設けられている。図７に示すように、スイッチ７’は、作動突起８によって押圧される細長い板状レバー７４を有すると共に、このレバー７４の揺動に応じてオン・オフするように構成されている。この場合、スイッチ７’は、そのレバー７４の揺動方向Ｓ３が吸込グリル２の揺動方向Ｓ１と直交するように配置されている。
【０００６】
【発明が解決しようとする課題】
上述したような従来の空気調和機の室内機には、以下のような問題点がある。
【０００７】
すなわち、上記スイッチ７’は、そのレバー７４の揺動方向Ｓ３が吸込グリル２の揺動方向Ｓ１と直交するように配置されているので、レバー７４の幅方向に対する作動突起８"の移動量と、レバー７４表面に対する作動突起８"の当接角度の変化が大きくなってしまう（図７（ｂ）参照）。このため、スイッチ７’のレバー７４に対して作動突起８"が引っかかり、スイッチ７’の破損や誤動作を招くおそれもある。特に、スイッチ７’および作動突起８"の位置が上記支軸から前方に離れている場合は、図７（ｃ）に示すように、その傾向が一層強くなる。
【０００８】
本発明は、このような点を考慮してなされたものであり、スイッチのレバーに対する作動突起の引っかかりを防止して、スイッチの破損や誤動作を回避できるような空気調和機の室内機を提供することを主目的とする。
【０００９】
【課題を解決するための手段】
本発明は、前パネルと、この前パネルの前面側に露出した所定の電気部品と、この電気部品に対する電源のオン・オフを行うための、前記前パネル側に設けられた機械式スイッチと、グリル本体と、このグリル本体の裏面側に設けられた左右一対のアーム部とを有し、前記前パネルの前面に対して、前記アーム部の先端部に形成された支軸回りの揺動で開閉自在となるように取り付けられた吸込グリルと、この吸込グリルの閉／開に伴って前記スイッチをオン／オフさせるための、前記吸込グリルのアーム部に設けられた作動突起とを備えると共に、前記スイッチは、前記作動突起によって押圧されるレバーを有し、このレバーの揺動に応じてオン・オフするように構成されると共に、当該レバーの揺動方向が前記吸込グリルの揺動方向に平行となるように配置されていることを特徴とする空気調和機の室内機ことを特徴とする空気調和機の室内機である。
【００１０】
この空気調和機の室内機によれば、スイッチは、レバーの揺動方向が吸込グリルの揺動方向に平行となるように配置されているので、それらの揺動方向が略直交するように配置されているような場合に比べて、スイッチのレバーに対して作動突起が引っかかる可能性を大幅に低くすることができる。
【００１４】
また、グリル本体の裏面側に設けられたアーム部に作動突起を設けることで、合成樹脂によって吸込グリルを成形する際、グリル本体自体に作動突起を一体成形する場合にグリル本体の表面に（作動突起に対応して）生じる「ひけ」を回避することができる。
【００１７】
【発明の実施の形態】
次に、図面を参照して本発明の実施の形態について説明する。図１乃至図５は本発明による空気調和機の室内機の実施の形態を示す図である。なお、図１乃至図５に示す本発明の実施の形態において、図６に示す一般的な空気調和機の室内機と同一の構成部分には同一符号を付すと共に、適宜、図６も参照して説明する。
【００１８】
［第１の実施形態］
まず、図１、図２および図６により、本発明の第１の実施形態について説明する。
【００１９】
〈構  成〉
図１および図６において、空気調和機の室内機は、前パネル１と吸込グリル２とを備えている。この吸込グリル２は、前パネル１の前面１０に対して、その上端側の支軸Ｐ回りの揺動で開閉自在となるように取り付けられている。
【００２０】
また、図６に示すように、この室内機には、前パネル１の前面１０側に露出した電気集塵式空気清浄器（所定の電気部品）６が設けられている。すなわち、この空気清浄器６は、室内熱交換器（図示せず）の前面側を覆うエアフィルタ９より更に前方に配置され、吸込グリル２を開いた状態で人の手が触れられるようになっている。
【００２１】
次に、本実施形態の室内機は図１に示すように、上記支軸Ｐの前下方において、前パネル１側に機械式スイッチ７が設けられ、吸込グリル２側に作動突起８が設けられている。機械式スイッチ７は、上記電気集塵式空気清浄器（所定の電気部品）６に対する電源のオン・オフを行うためのものである。また作動突起８は、吸込グリル２の閉／開に伴って機械式スイッチ７をオン／オフさせるためのものである。
【００２２】
すなわち、この空気調和機の室内機は、上記空気清浄器６やエアフィルタ９の着脱を行う際、電気集塵式空気清浄器６に人の手が触れた場合の感電を防止する観点から、吸込グリル２の閉／開に伴って空気清浄器６の電源をオン／オフできるように構成されている。
【００２３】
ここで図１および図２に示すように、上記機械式スイッチ７は、上記作動突起８によって押圧される細長い板状レバー７４を有すると共に、このレバー７４の揺動に応じてオン・オフするように構成されている。この場合、スイッチ７は、レバー７４の揺動方向Ｓ２が吸込グリル２の揺動方向Ｓ１に平行となるように配置されている。
【００２４】
このスイッチ７は、具体的には図２に示すように、接点を内蔵した本体７０と、この本体７０の前面に突出したプランジャー７２とを有している。また、本体７０の前面側に上記レバー７４が揺動自在に取り付けられている。そして、このレバー７４の揺動によってプランジャー７２を押圧／解放することで、スイッチ７がオン／オフされるように構成されている。
【００２５】
〈作用効果〉
次に、このような構成よりなる本実施形態の作用効果について説明する。
【００２６】
本実施形態によれば、機械式スイッチ７は、そのレバー７４の揺動方向Ｓ２が吸込グリル２の揺動方向Ｓ１に平行となるように配置されているので、当該レバー７４の幅方向に対する作動突起８の移動、およびレバー７４の表面に対する作動突起８の当接角度の変化は生じない（図２（ｂ）参照）。（このことは、スイッチ７および作動突起８の支軸Ｐからの方向および距離に影響されない。）
従って、機械式スイッチのレバーの揺動方向が吸込グリル２の揺動方向Ｓ１と略直交するように配置されているような場合に比べて、スイッチ７のレバー７４に対して作動突起８が引っかかる可能性を大幅に低くすることができる。（特に、スイッチ７および作動突起８が支軸Ｐから前方に離れている場合には、その差が大きくなる。）このため、スイッチ７の破損や誤動作を効果的に防止して、より安全性の高い空気調和機の室内機を提供することができる。
【００２７】
〈変形例〉
なお、本実施形態において、前パネル１側に機械式スイッチ７が設けられ、吸込グリル２側に作動突起８が設けられた場合について説明したが、これとは逆に、吸込グリル２側に機械式スイッチ７が設けられ、前パネル１側に作動突起８が設けられていてもよい。
【００２８】
［第２の実施形態］
次に、図３および図４により、本発明の第２の実施形態について説明する。
【００２９】
〈構  成〉
本実施形態は、上記吸込グリル２に代えて、図３および図４に示すような吸込グリル２Ａを備えた点で上記第１の実施形態と異なり、その他の構成は図１および図２に示す上記第１の実施形態と同様である。
【００３０】
具体的には、本実施形態の吸込グリル２Ａは、図３および図４に示すように、グリル本体２０と、このグリル本体２０の上部表面を覆って取り付けられる付加グリル部材２２とを有している。そして、図４に示すように、グリル本体２０の付加グリル部材２２で覆われる上部の裏面側に、上記作動突起８が設けられている。
【００３１】
〈作用効果〉
次に、このような構成よりなる本実施形態の作用効果について説明する。
【００３２】
本実施形態によれば、合成樹脂によってグリル本体２０に作動突起８を一体成形する場合、作動突起８に対応してグリル本体２０の表面に生じる「ひけ」２０ａ（図４参照）を、付加グリル部材２２によって覆い隠すことができる。このため、吸込グリル２Ａの外観品質を向上させることができる。
【００３３】
［第３の実施形態］
次に、図５により、本発明の第３の実施形態について説明する。
【００３４】
〈構  成〉
本実施形態は、上記吸込グリル２に代えて、図５に示すような吸込グリル２Ｂを備えた点で上記第１の実施形態と異なり、その他の構成は図１および図２に示す上記第１の実施形態と同様である。
【００３５】
具体的には、本実施形態の吸込グリル２Ｂは、図５に示すように、グリル本体２４と、このグリル本体２４の裏面側に設けられた左右一対のアーム部２６とを有している。各アーム部２６の先端部には、室内機の側方に向かって突出する上記支軸Ｐが一体に形成されている。
【００３６】
そして、一方（この場合は室内機の正面に向かって右側）のアーム部２６に、作動突起８’が設けられている。この場合、当該アーム部２６において、支軸Ｐおよび作動突起８’が、同一の金型スライド構造で成形できるように構成されている。すなわち、これらの支軸Ｐおよび作動突起８’は、共に室内機の右側方（金型スライド方向）に向かって、所定の抜き勾配を有して延びている。
【００３７】
〈作用効果〉
次に、このような構成よりなる本実施形態の作用効果について説明する。
【００３８】
上記第２の実施形態の〈作用効果〉でも説明したように、合成樹脂によって吸込グリル２Ｂを成形する際、グリル本体２４自体に作動突起を一体成形すると、グリル本体２４の表面に当該作動突起に対応した「ひけ」が生じる。
【００３９】
ところが本実施形態によれば、吸込グリル２Ｂのアーム部２６に作動突起８’が設けられているので、グリル本体２４自体には作動突起８’による「ひけ」が生じることはない。このため、吸込グリル２Ｂの外観品質を向上させることができる。
【００４０】
また、アーム部２６において、支軸Ｐおよび作動突起８’が、同一の金型スライド構造で成形できるように構成されているので、金型構造を複雑化することなく、作動突起８’を（支軸Ｐの軸線方向に）より長く形成することができる。
【００４１】
このため、組立時の誤差等によって、（支軸Ｐの軸線方向において）スイッチ７に対する作動突起８’の多少のずれが生じても、これを吸収することができる。また、アーム部２６上における作動突起８’の形成位置の自由度を高めることができる。
【００４２】
【発明の効果】
本発明によれば、スイッチのレバーに対して作動突起が引っかかる可能性を大幅に低くすることができるので、スイッチの破損や誤動作を効果的に防止して、より安全性の高い空気調和機の室内機を提供することができる。また、合成樹脂によって吸込グリルを成形する際、グリル本体自体に作動突起を一体成形する場合にグリル本体の表面に（作動突起に対応して）生じる「ひけ」を回避することができるので、吸込グリルの外観品質を向上させることができる。
【図面の簡単な説明】
【図１】本発明による空気調和機の室内機における第１の実施形態を示す図であって、当該室内機の内部構造の要部のみを示す横断面図。
【図２】（ａ）は、図１に示す室内機において、機械式スイッチのレバーの揺動を示す図、（ｂ）は、（ａ）に示すレバーの揺動を下方から見た図。
【図３】本発明による空気調和機の室内機における第２の実施形態の吸込グリルを示す斜視図。
【図４】図３に示す吸込グリルの要部横断面図。
【図５】本発明による空気調和機の室内機における第３の実施形態を示す図であって、当該室内機の吸込グリルにおけるアーム部周辺を示す斜視図。
【図６】本発明が適用される一般的な空気調和機の室内機を、吸込グリルを開いた状態で一部破断して示す斜視図。
【図７】（ａ）は、従来の空気調和機の室内機における機械式スイッチのレバーの揺動を示す図、（ｂ）は、（ａ）に示すレバーの揺動を右側方から見た図、（ｃ）は、スイッチが支軸から前方に離れている場合の（ｂ）と同様の図。
【符号の説明】
１  前パネル
１０  前面
２  吸込グリル
２Ａ  吸込グリル
２０  グリル本体
２２  付加グリル部材
２Ｂ  吸込グリル
２４  グリル本体
２６  アーム部
６  電気部品
７  機械式スイッチ
７４  レバー
８，８’  作動突起
Ｐ  支軸
Ｓ１  吸込グリルの揺動方向
Ｓ２  スイッチにおけるレバーの揺動方向
【図１】
0004187360.tif 000002
【図２】
0004187360.tif 000003
【図３】
0004187360.tif 000004
【図４】
0004187360.tif 000005
【図５】
0004187360.tif 000006
【図６】
0004187360.tif 000007
【図７】
0004187360.tif 000008